(57)【要約】  本発明は、一般式（Ｉ）Ｒ−Ｏ−（Ａ）n−（Ｂ）m−Ｈ  （Ｉ）［式中、Ｒは、Ｃ8−アルキル基であり、Ａは、プロピレンオキシであり、Ｂは、エチレンオキシであり、ｎは、平均値０．８〜２．０であり、かつｍは、平均値２．０〜５．０である］の界面活性剤を、湿潤剤として疎水性ポリマー表面に用いる使用、並びに以下の成分ａ）請求項１に記載の一般式（Ｉ）の少なくとも１種の界面活性剤０．５〜５０質量％、ｂ）Ｃ8−アルコール１．０〜１０質量％、及びｃ）一般式（ＩＶ）Ｒ−Ｏ−（Ａ）n−Ｈ  （ＩＶ）［式中、Ｒは、Ｃ8−アルキル基であり、Ａは、プロピレンオキシであり、かつｎは、平均値０．８〜２．０である］の化合物０．５〜３０質量％を含有する湿潤剤に関する。【特許請求の範囲】
【請求項１】
一般式（Ｉ）
Ｒ−Ｏ−（Ａ）n−（Ｂ）m−Ｈ  （Ｉ）
［式中、Ｒは、Ｃ8−アルキル基であり、
Ａは、プロピレンオキシであり、
Ｂは、エチレンオキシであり、
ｎは、平均値０．８〜２．０であり、かつ
ｍは、平均値２．０〜５．０である］の界面活性剤を、湿潤剤として、木綿、ポリ−ＴＨＦ−ベースのポリマー、ポリエチレン、ポリプロピレン、ポリアミド、ゴム、シリコーン、ポリブタジエン、ポリスチレン、ＡＢＳ、植物表面及び動物表面からなる群から少なくとも１種の材料から選択された疎水性ポリマー表面に用いる使用。
【請求項２】
一般式（Ｉ）の界面活性剤の、一般式（ＩＩ）
【数１】
2007535400.tif 000004
［式中、「φ界面活性剤溶液、１０秒」は、界面活性剤０．０２質量％水溶液の液滴の、４０℃でのポリエチレン表面上でのその液滴の衝突１０秒後の接触角であり、かつ
「φ蒸留水」は、蒸留水の液滴の、４０℃でのポリエチレン表面上でのその液滴の衝突１０秒後の接触角である］で示される湿潤性ＮＬPEが、＞０．４１であることを特徴とする、請求項１に記載の使用。
【請求項３】
一般式（Ｉ）の界面活性剤の、一般式（ＩＩＩ）
【数２】
2007535400.tif 000005
［式中、「φ蒸留水」及びＮＬPEは、請求項２に定義されたとおりであり、かつ「φ界面活性剤溶液、５０ミリ秒」は、界面活性剤０．０２質量％水溶液の液滴の、４０℃でのポリエチレン表面上でのその液滴の衝突５０ミリ秒後の接触角である］で示される湿潤速度ＮＧPEが、＞０．８５であることを特徴とする、請求項１又は２に記載の使用。
【請求項４】
Ｒが、２−エチルヘキサノールから誘導されたアルキル基であることを特徴とする、請求項１から３までの何れか１項に記載の使用。
【請求項５】
疎水性ポリマー表面が、成形部品、繊維、ダスト、顆粒、粉末、シート、布及び糸からなる群から選択されることを特徴とする、請求項１から４までの何れか１項に記載の使用。
【請求項６】
以下の成分
ａ）請求項１に記載の一般式（Ｉ）の少なくとも１種の界面活性剤０．５〜５０質量％、
ｂ）Ｃ8−アルコール１．０〜１０質量％、及び
ｃ）一般式（ＩＶ）
Ｒ−Ｏ−（Ａ）n−Ｈ  （ＩＶ）
［式中、Ｒは、Ｃ8−アルキル基であり、
Ａは、プロピレンオキシであり、かつ
ｎは、平均値１．３〜１．６である］の化合物０．５〜３０質量％
を含有する湿潤剤。
【請求項７】
成分ａ）及びｃ）のＲが、２−エチルヘキサノールから誘導されたアルキル基であることを特徴とする、請求項６に記載の湿潤剤。
【請求項８】
成分ａ）、ｂ）及びｃ）が、同じＣ8−アルコールから誘導されていることを特徴とする、請求項６又は７に記載の湿潤剤。
【請求項９】
成分が、
ａ）５．０〜３０質量％、
ｂ）１．５〜５．０質量％、及び
ｃ）２．０〜２０質量％
で存在することを特徴とする、請求項６から８までの何れか１項に記載の湿潤剤。
【請求項１０】
Ｃ8−アルコールが、２−エチルヘキサノールであることを特徴とする、請求項６から９までの何れか１項に記載の湿潤剤。
【請求項１１】
成分ａ）、ｂ）及びｃ）が水溶液中に存在することを特徴とする、請求項６から１０までの何れか１項に記載の湿潤剤。
【発明の詳細な説明】
【技術分野】
【０００１】
本発明は、Ｃ8−アルコールと、プロピレンオキシドと、エチレンオキシドとを基礎とする界面活性剤を、湿潤剤として疎水性ポリマー表面に用いる使用、並びに界面活性剤とＣ8−アルコールとを含有する湿潤剤に関する。
【０００２】
Ｃ8−アルコールと、プロピレンオキシドと、エチレンオキシドとを基礎とする界面活性剤は、技術水準から既に公知である。
【０００３】
ＤＤ２９２１４７号は、湿潤させることが困難なダスト、例えば炭塵のための、エチレンオキシドとプロピレンオキシドとを含有するアルキルポリアルキレングリコールエーテルからなる湿潤剤を記載している。このためには、式２−エチルヘキサノール−（ＰＯ）2.5〜3.5−（ＥＯ）2〜3の湿潤剤を使用することが好ましい。炭塵は、芳香性が強い表面として、それぞれの技術用途に簡単には適用できない。この湿潤剤は、濃縮された塩溶液の存在下で有効であり、発泡せず、かつ湿潤時間が短い。
【０００４】
ＤＤ２９８６５１号は、Ｃ6−Ｃ9−アルコール−プロポキシレート−エトキシレートをシリコーン用乳化剤として記載している。上述の化合物は、貯蔵期間６ヶ月の貯蔵安定性の水性ジオルガノポリシロキサンエマルジョンの製造に使用される。
【０００５】
ＥＰ００５１８７８号Ａ１においては、改善された湿潤特性及び一般に良好な脱脂特性及び／又は洗浄特性を有する非発泡性の非イオン性液状界面活性剤組成物を開示している。この組成物は、７〜１１個の炭素原子を有するアルコールと、エチレン単位と、プロピレンオキシド単位とから構成された化合物を含有する。
【０００６】
ＷＯ２００４／００５２３０号においては、アルキレンオキシドとしてエチレンオキシドとプロピレンオキシドとを含有する２−エチルヘキサノールのアルコキシレートを記載している。平均して、開示された化合物中には、１．６〜３．３単位のプロピレンオキシド及びこれに続く３．０〜５．５単位のエチレンオキシドが存在する。このアルコキシレートは、洗浄剤として硬質表面に使用される。
【０００７】
本発明の課題は、疎水性ポリマー表面用の湿潤剤としての使用のための好適な界面活性剤を提供することである。
【０００８】
前記課題は、一般式（Ｉ）
Ｒ−Ｏ−（Ａ）n−（Ｂ）m−Ｈ  （Ｉ）
［式中、Ｒは、Ｃ8−アルキル基であり、
Ａは、プロピレンオキシであり、
Ｂは、エチレンオキシであり、
ｎは、平均値０．８〜２．０であり、かつ
ｍは、平均値２．０〜５．０である］の界面活性剤を、湿潤剤として疎水性ポリマー表面に使用することによって解決される。
【０００９】
基Ｒは、直鎖状又は分枝鎖状の、飽和又は不飽和のＣ8−アルキル基であり、Ｒは、少なくとも１箇所で分枝したアルキル基であることが好ましい。Ｒは、１箇所で分枝したＣ8−アルキル基であることが特に好ましい。
【００１０】
殊に好ましい実施形態においては、Ｒが２−エチルヘキサノールから誘導されたアルキル基である界面活性剤を本発明により使用する。
【００１１】
一般式（Ｉ）のＡは、プロピレンオキシである。本発明によれば、プロピレンオキシは、基−Ｏ−ＣＨ2−ＣＨ（ＣＨ3）−又は−Ｏ−ＣＨ（ＣＨ3）−ＣＨ2−を意味する。本発明により使用される界面活性剤においては、もっぱらアルコールにプロピレンオキシ単位が直接結合していることが理想的である。
【００１２】
一般式（Ｉ）のＢは、エチレンオキシである。本発明によれば、エチレンオキシは、基−Ｏ−ＣＨ2−ＣＨ2−を意味する。
【００１３】
この界面活性剤は、ブロック構造を有することが理想的であり、すなわちプロピレンオキシブロックがＣ8−アルコールに直接に結合している。これに続いてエチレンオキシブロックが結合している。
【００１４】
このブロック構造は、工業用界面活性剤として、方法技術的理由のために、全てのプロピレンオキシドとアルコールとが依然として反応していないにもかかわらずエチレンオキシドの計量供給を開始した場合に、場合により中断されることがある。
【００１５】
本発明により使用される一般式（Ｉ）の界面活性剤のｎは、Ｃ8−アルコールに結合したプロピレンオキシ単位の数の平均値である。
【００１６】
「平均値」という記載は、個々の分子中に種々の数のアルキレンオキシ単位が存在しうる工業製品と関係する。この工業製品中では、相応のアルキレンオキシ単位の数の平均して存在する割合を記載している。例えば、平均０．５の値は、平均して、それぞれ第二の分子が相応の単位を有することを意味する。
【００１７】
本発明によれば、ｎが平均値０．８〜２．０、好ましくは０．８〜１．８、特に好ましくは１．３〜１．６の界面活性剤を使用する。
【００１８】
本発明により使用される一般式（Ｉ）の界面活性剤のｍは、界面活性剤中に含まれるエチレンオキシ単位の数の平均値である。
【００１９】
本発明によれば、ｍが平均値２．０〜５．０、好ましくは２．８〜４．０、特に好ましくは２．８〜３．２の界面活性剤を使用する。
【００２０】
一般式（Ｉ）の界面活性剤は、極めて良好な低発泡特性と、生分解性と、疎水性ポリマー表面上での湿潤速度とが組み合わさっており、その結果それを本発明により湿潤剤として疎水性ポリマー表面に使用することができる。
【００２１】
本発明にかかるアルコールアルコキシレートの基礎をなすアルコール成分ＲＯＨについては、純粋なＣ8−アルコールだけでなく、Ｃ8−アルコールの種々の異性体の混合物も挙げられる。例として、種々の構造異性体の混合物が挙げられる。アルコール成分としては、１種のＣ8−アルコールの異性体のみが本発明により使用される一般式（Ｉ）の界面活性剤中に存在することが好ましい。
【００２２】
本発明により使用される界面活性剤又はこの界面活性剤の混合物は、一般式ＲＯＨのアルコール又はＣ8−アルコールの相応の異性体の混合物を最初にプロピレンオキシドと反応させ、次いでエチレンオキシドと反応させることによって製造することが好ましい。この場合、このアルコキシ化は、アルコキシ化触媒の存在下で実施することが好ましい。この場合、特に塩基性触媒、例えば水酸化カリウム及び／又は水酸化ナトリウムを使用する。特定のアルコキシ化触媒、例えばＷＯ９５／０４０２４号に記載されているような改変されたベントナイト又はヒドロタルシトによって、導入されたアルキレンオキシドの量の統計分布は極めて狭くなり、その結果「狭い範囲」のアルコキシレートが得られる。
【００２３】
適切な反応条件、例えば温度、圧力、反応時間、溶剤、生成物の後処理及び精製等は、当業者に知られている。同様に、本発明により使用可能な界面活性剤の製造に好適な反応も当業者に知られている。
【００２４】
本発明の好ましい実施形態においては、一般式（ＩＩ）
【数１】
2007535400.tif 000002
［式中、「φ界面活性剤溶液、１０秒」は、界面活性剤０．０２質量％水溶液の液滴の、４０℃でのポリエチレン表面上でのその液滴の衝突１０秒後の接触角であり、
「φ蒸留水」は、蒸留水の液滴の、４０℃でのポリエチレン表面上でのその液滴の衝突１０秒後の接触角である］で示される湿潤性ＮＬPEが、＞０．４１である界面活性剤を湿潤剤として疎水性ポリマー表面に使用する。
【００２５】
特に好ましくは、本発明により使用される湿潤剤は、湿潤性ＮＬPEが＞０．４８であり、殊に好ましくは＞０．５２であり、なかんずく好ましくは＞０．５８である。
【００２６】
疎水性ポリマー表面についての湿潤性ＮＬPEの定義：
疎水性ポリマー表面についての湿潤性は、界面活性剤０．０２質量％水溶液の液滴の、４０℃でのポリエチレン表面上でのその液滴の衝突１０秒後の接触角を介して算出される。この基準として、蒸留水を用いる同様の実験を利用する。
【００２７】
本発明の更に好ましい実施形態においては、一般式（ＩＩＩ）
【数２】
2007535400.tif 000003
［式中、「φ蒸留水」及びＮＬPEは、上述の定義のとおりであり、かつ「φ界面活性剤溶液、５０ミリ秒」は、界面活性剤０．０２質量％水溶液の液滴の、４０℃でのポリエチレン表面上でのその液滴の衝突５０ミリ秒後の接触角である］で示される湿潤速度ＮＧPEが、＞０．８５である界面活性剤を、疎水性ポリマー表面の湿潤剤として使用する。
【００２８】
本発明により使用される湿潤剤は、湿潤速度ＮＧPEが特に好ましくは、＞０．８７であり、殊に好ましくは＞０．９０であり、なかんずく好ましくは＞０．９２である。
【００２９】
疎水性ポリマー表面についての湿潤速度ＮＧPEの定義：
疎水性ポリマー表面についての界面活性剤の湿潤速度は、界面活性剤水溶液の液滴の、ポリエチレン表面上での時間的に経過する接触角を介して算出される。この速度は、表面上での液滴の衝突５０ミリ秒後の接触角及び同じ表面についての湿潤性ＮＬPEから算出される。この基準として、蒸留水を用いる同様の実験を再び利用する。
【００３０】
一般的には、本発明にかかる好適な疎水性又は疎水性化されたポリマー表面は、それぞれ天然材料若しくは人工的に製造された材料か又は種々の材料の混合物から構成されていてよい。
【００３１】
疎水性ポリマー表面は、例えば、全種の疎水性又は疎水性化されたバイオポリマー又はプラスチックであると解される。
【００３２】
一般式（Ｉ）の界面活性剤を、湿潤剤として、木綿、ポリ−ＴＨＦ−ベースのポリマー、例えばＬｙｃｒａ(R)又はＰＥＥＫ、ポリエチレン、ポリプロピレン、ポリアミド、ポリエーテル、ポリカーボネート、ポリウレタン、ゴム、シリコーン、ポリブタジエン、ポリスチレン及びＡＢＳからなる群から選択された疎水性ポリマー表面に使用することが好ましい。更に、一般式（Ｉ）の界面活性剤を、湿潤剤として植物、例えば葉、針葉又は動物、例えば昆虫のキチン殻の表面に使用することができる。更に、これらの材料の混合物を使用することもできる。ポリエステル、ポリアミド、ポリプロピレン、木綿及びこれらの混合物が特に好ましい。
【００３３】
一般式（Ｉ）の界面活性剤を、湿潤剤として、成形部品、繊維、ダスト、顆粒、粉末、シート、布、糸からなる群から選択された疎水性ポリマー表面に使用することが好ましい。この場合、粉末及びダストはそれほど好ましくない。
【００３４】
この疎水性ポリマー表面は、繊維、糸及び布からなる群から選択されていることが特に好ましい。
【００３５】
本発明にかかる低発泡性又は泡蒸発性の界面活性剤は、多岐にわたる用途に使用することができる。この界面活性剤は、非イオン性界面活性剤として、好ましくは清浄剤及び洗浄剤配合物中、及び界面活性剤含有配合物中で化学工業用途、例えば工業における洗浄工程及び家庭用品、例えば織物清浄剤又は食品分野の洗浄工程、例えば飲料瓶若しくは容器の洗浄、又は食品加工工業における施設の洗浄にか又は食器洗浄剤中に使用することが好ましい。この場合、硬質表面、例えばガラス、セラミック、塗料、プラスチック又は金属の洗浄が特に重要である。更にこの界面活性剤は、工業用洗浄剤及び金属加工工業における洗浄工程に使用される。
【００３６】
この界面活性剤は、他の多数の化学工業工程に有利に使用することもでき、一般的には金属加工工業において、例えば冷却滑沢剤、硬化油、ハイドロリックエマルジョン、研磨化合物、離型剤、ドローイングオイル、媒染剤、金属洗浄剤又は金属乾燥剤に使用することができる。
【００３７】
これに関しては、界面活性剤を、織物の製造及び加工の際に使用することもできる。この織物の製造及び加工の際の界面活性剤の用途は、顕著に多岐にわたるものであり、これは主として以下の分野：繊維の前処理剤、レーヨン繊維、スピン仕上物及び織物溶融物の製造、着色助剤、艶出剤、疎水化剤、印刷用の助剤、帯電防止剤又はフロック加工剤及び被覆剤に関連している。
【００３８】
更に、この界面活性剤は、皮革工業、製紙工業、印刷工業、電気工業及び光学工業に使用することができる。この場合、重要な用途分野は、塗料、顔料及び印刷インクである。これらの用途分野においては、界面活性剤は水系でも非水系でも使用される。非水系においては、この界面活性剤は、とりわけ、分散助剤、沈殿防止剤又は流動助剤として利用される。このために、界面活性剤により、いわゆるハイソリッド系の製造が可能になる。界面活性剤の大部分は水系を伴い、そこでこの界面活性剤は乳化重合又は乳化縮重合により製造されたプラスチック分散液を基礎とするバインダーの安定化の他に、しばしば使用される有機又は無機顔料の分散助剤としても利用される。更にこの界面活性剤は塗料剤の付着特性を改善する。
【００３９】
更に、この界面活性剤は、水処理の際、例えば廃水洗浄の際に使用することができる。
【００４０】
更に、この界面活性剤は、植物保護配合物中で使用することができる。
【００４１】
更にこの化合物は、界面活性剤又は乳化剤として、プラスチック製造工業及びプラスチック加工工業において使用することができる。プラスチック製造及びプラスチック加工の際の主な用途分野は：プラスチック分散液の製造、パール重合体の製造、発泡剤の製造、界面活性離型剤の使用、マイクロカプセルの製造、充填剤とプラスチックとの接着性の改善、特定の効果、例えば発泡性、充填剤許容性又は湿潤性を達するためのプラスチック分散液への添加剤、非水系用の乳化剤、プラスチック着色、プラスチック又は接着剤の静電防止性付与である。
【００４２】
本発明はまた、
以下の成分
ａ）一般式（Ｉ）の少なくとも１種の界面活性剤０．５〜５０質量％、
ｂ）Ｃ8−アルコール１．０〜１０質量％、及び
ｃ）一般式（ＩＶ）
Ｒ−Ｏ−（Ａ）n−Ｈ  （ＩＶ）
［式中、Ｒは、Ｃ8−アルキル基であり、
Ａは、プロピレンオキシであり、かつ
ｎは、平均値０．８〜２．０である］の化合物０．５〜３０質量％
を含有する湿潤剤に関する。
【００４３】
本発明にかかる湿潤剤は、成分ａ）として、０．５〜５０質量％、好ましくは５〜３０質量％、特に好ましくは８〜２５質量％の一般式（Ｉ）の界面活性剤を含有する。この界面活性剤の構成及び好ましい含有物質は、上述のとおりである。
【００４４】
本発明にかかる湿潤剤は、成分ｂ）として、１．０〜１０質量％、好ましくは１．５〜５．０質量％、特に好ましくは１．５〜４．０質量％のＣ8−アルコールを含有する。このＣ8−アルコールに関しては、既に一般式（Ｉ）の界面活性剤に関して挙げられたアルコールが該当する。この成分ｂ）は、本発明にかかる湿潤剤中で、コサーファクタント及び湿潤剤としての相乗作用を示す。
【００４５】
本発明にかかる湿潤剤は、成分ｃ）として、０．５〜３０質量％、好ましくは２．０〜２０質量％、特に好ましくは５〜１５質量％の一般式（ＩＶ）
Ｒ−Ｏ−（Ａ）n−Ｈ  （ＩＶ）
［式中、Ｒは、Ｃ8−アルキル基であり、
Ａは、プロピレンオキシドであり、かつ
ｎは、平均値０．８〜２である］の化合物を含有する。
【００４６】
基Ｒは、直鎖状又は分枝鎖状の、飽和又は不飽和のＣ8−アルキル基であり、Ｒは、少なくとも１箇所で分枝したアルキル基であることが好ましい。Ｒは、１箇所で分枝したＣ8−アルキル基であることが特に好ましい。殊に好ましい実施形態においては、本発明にかかる湿潤剤は、成分ｃ）として、Ｒが２−エチルヘキサノールから誘導されたアルキル基である化合物を含有する。
【００４７】
好ましい実施形態においては、本発明にかかる湿潤剤の成分ａ）又はｃ）のＲは、２−エチルヘキサノールから誘導されたアルキル基である。
【００４８】
特に好ましい実施形態においては、成分ａ）、ｂ）及びｃ）は、同じＣ8−アルコールから誘導される。このＣ8−アルコールは、２−エチルヘキサノールであることが殊に好ましい。
【００４９】
一般式（ＩＶ）の化合物は、エトキシ化されていない、すなわちもっぱらプロポキシ化された界面活性剤であり、本発明にかかる湿潤剤中で有効な消泡剤として作用する。この消泡作用は、本発明にかかる湿潤剤中においては望ましいものである。
【００５０】
一般式（ＩＶ）のＡは、プロピレンオキシである。本発明によれば、プロピレンオキシは、基−Ｏ−ＣＨ2−ＣＨ（ＣＨ3）−又は−Ｏ−ＣＨ（ＣＨ3）−ＣＨ2−を意味する。
【００５１】
本発明にかかる湿潤剤中においては、成分ｃ）として、一般式（ＩＶ）で示され、その式中、ｎは、平均値０．８〜２．０、好ましくは０．８〜１．８、特に好ましくは１．３〜１．６である化合物を使用する。平均値の説明に関しては、既に挙げた説明が該当する。
【００５２】
本発明により使用される一般式（ＩＶ）の界面活性剤は、一般式ＲＯＨのアルコール又は相応の異性体Ｃ8−アルコールの混合物と、プロピレンオキシドとを反応させることによって製造することが好ましい。この場合、このアルコキシ化は、アルコキシ化触媒の存在下で実施することが好ましい。この場合、特に塩基性触媒、例えば水酸化カリウム及び／又は水酸化ナトリウムを使用する。特定のアルコキシ化触媒、例えばＷＯ９５／０４０２４号に記載されているような改変されたベントナイト又はヒドロタルシトによって、導入されたアルキレンオキシドの量の統計分布は極めて狭くなり、その結果「狭い範囲」のアルコキシレートが得られる。
【００５３】
適切な反応条件、例えば温度、圧力、反応時間、溶剤、生成物の後処理及び精製等は、当業者に知られている。同様に、本発明により使用可能な界面活性剤の製造に好適な反応も当業者に知られている。
【００５４】
本発明にかかる湿潤剤は、成分ａ）と、ｂ）と、ｃ）とを任意の順序で混合することによって製造してよく、好適な溶剤の存在下で製造することが好ましい。好適な溶剤は、極性溶剤、例えばアルコール、ケトン、水又は塩溶液、例えば水酸化ナトリウム水溶液である。溶剤の混合物を使用してもよい。
【００５５】
好ましい実施形態においては、本発明にかかる湿潤剤の成分ａ）、ｂ）及びｃ）は水溶液中に存在し、すなわち、本発明にかかる湿潤剤に溶剤として水を使用する。
【００５６】
本発明にかかる湿潤剤は、低発泡性である。衝撃発泡法（Ｓｃｈｌａｇｓｃｈｕｍｍｅｔｈｏｄｅ）ＥＮ１２７２８（４０℃、２ｇ／ｌの界面活性剤、１０゜のドイツ硬度）によれば、本発明にかかる湿潤剤に関しては、＜４０ｍｌ、好ましくは＜３０ｍｌ、特に好ましくは＜２０ｍｌ、殊に好ましくは＜１５ｍｌの泡が示される。
【手続補正書】
【提出日】平成18年11月30日(2006.11.30)
【手続補正１】
【補正対象書類名】特許請求の範囲
【補正対象項目名】全文
【補正方法】変更
【補正の内容】
【特許請求の範囲】
【請求項１】
一般式（Ｉ）
Ｒ−Ｏ−（Ａ）n−（Ｂ）m−Ｈ  （Ｉ）
［式中、Ｒは、Ｃ8−アルキル基であり、
Ａは、プロピレンオキシであり、
Ｂは、エチレンオキシであり、
ｎは、平均値０．８〜２．０であり、かつ
ｍは、平均値２．８〜３．２である］の界面活性剤を、湿潤剤として、木綿、ポリ−ＴＨＦ−ベースのポリマー、ポリエチレン、ポリプロピレン、ポリアミド、ゴム、シリコーン、ポリブタジエン、ポリスチレン、ＡＢＳ、植物表面及び動物表面からなる群から少なくとも１種の材料から選択された疎水性ポリマー表面に用いる使用。
【請求項２】
一般式（Ｉ）の界面活性剤の、一般式（ＩＩ）
【数１】
2007535400.tif 000006
［式中、「φ界面活性剤溶液、１０秒」は、界面活性剤０．０２質量％水溶液の液滴の、４０℃でのポリエチレン表面上でのその液滴の衝突１０秒後の接触角であり、かつ
「φ蒸留水」は、蒸留水の液滴の、４０℃でのポリエチレン表面上でのその液滴の衝突１０秒後の接触角である］で示される湿潤性ＮＬPEが、＞０．４１であることを特徴とする、請求項１に記載の使用。
【請求項３】
一般式（Ｉ）の界面活性剤の、一般式（ＩＩＩ）
【数２】
2007535400.tif 000007
［式中、「φ蒸留水」及びＮＬPEは、請求項２に定義されたとおりであり、かつ「φ界面活性剤溶液、５０ミリ秒」は、界面活性剤０．０２質量％水溶液の液滴の、４０℃でのポリエチレン表面上でのその液滴の衝突５０ミリ秒後の接触角である］で示される湿潤速度ＮＧPEが、＞０．８５であることを特徴とする、請求項１又は２に記載の使用。
【請求項４】
Ｒが、２−エチルヘキサノールから誘導されたアルキル基であることを特徴とする、請求項１から３までの何れか１項に記載の使用。
【請求項５】
疎水性ポリマー表面が、成形部品、繊維、ダスト、顆粒、粉末、シート、布及び糸からなる群から選択されることを特徴とする、請求項１から４までの何れか１項に記載の使用。
【請求項６】
以下の成分
ａ）請求項１に記載の一般式（Ｉ）の少なくとも１種の界面活性剤０．５〜５０質量％、
ｂ）Ｃ8−アルコール１．０〜１０質量％、及び
ｃ）一般式（ＩＶ）
Ｒ−Ｏ−（Ａ）n−Ｈ  （ＩＶ）
［式中、Ｒは、Ｃ8−アルキル基であり、
Ａは、プロピレンオキシであり、かつ
ｎは、平均値０．８〜２．０である］の化合物０．５〜３０質量％
を含有する湿潤剤。
【請求項７】
成分ａ）及びｃ）のＲが、２−エチルヘキサノールから誘導されたアルキル基であることを特徴とする、請求項６に記載の湿潤剤。
【請求項８】
成分ａ）、ｂ）及びｃ）が、同じＣ8−アルコールから誘導されていることを特徴とする、請求項６又は７に記載の湿潤剤。
【請求項９】
成分が、
ａ）５．０〜３０質量％、
ｂ）１．５〜５．０質量％、及び
ｃ）２．０〜２０質量％
で存在することを特徴とする、請求項６から８までの何れか１項に記載の湿潤剤。
【請求項１０】
Ｃ8−アルコールが、２−エチルヘキサノールであることを特徴とする、請求項６から９までの何れか１項に記載の湿潤剤。
【請求項１１】
成分ａ）、ｂ）及びｃ）が水溶液中に存在することを特徴とする、請求項６から１０までの何れか１項に記載の湿潤剤。
【国際調査報告】
2007535400.tif 000008
2007535400.tif 000009
2007535400.tif 000010
2007535400.tif 000011